(57)【要約】【課題】  画像の再形成を正確に行う工夫が図られた画像形成装置を提供する。【解決手段】  取得した画像データを前記ジョブに対応付けて蓄積しておくメモリと、記録媒体に、画像データに基づく画像を形成するとともに、形成する画像がいずれのジョブの何頁目の画像であるかを特定するジョブ情報および該画像の形成の内容を指示するジョブを特定するジョブ情報の２つの情報を表す付加画像を形成する画像形成部と、画像形成部によって形成された付加画像にかざすことで、該付加画像が表す前記ページ情報およびジョブ情報を読み取る読取部と、画像形成部に対して、読取部で読み取ったジョブ情報が示すジョブに対応付けられてメモリに蓄積されている画像データのうち、該読取部で読み取ったページ情報が示す頁の画像データに基づく画像の再形成を指示する制御部とを備えた。【選択図】        図２
2006256015.tif 000002
【特許請求の範囲】
【請求項１】
記録媒体への画像形成の内容を指示するジョブ単位で、１頁分の画像を表す画像データを１又は複数頁分取得し、取得した画像データに基づく画像を記録媒体上に形成する画像形成装置において、
取得した画像データを前記ジョブに対応付けて蓄積しておくメモリと、
記録媒体に、画像データに基づく画像を形成するとともに、形成する画像がいずれのジョブの何頁目の画像であるかを特定するジョブ情報および該画像の形成の内容を指示するジョブを特定するジョブ情報の２つの情報を表す付加画像を形成する画像形成部と、
前記画像形成部によって形成された付加画像にかざすことで、該付加画像が表す前記ページ情報および前記ジョブ情報を読み取る読取部と、
前記画像形成部に対して、前記読取部で読み取った前記ジョブ情報が示すジョブに対応付けられて前記メモリに蓄積されている画像データのうち、該読取部で読み取った前記ページ情報が示す頁の画像データに基づく画像の再形成を指示する制御部とを備えたことを特徴とする画像形成装置。
【請求項２】
前記制御部が、前記画像形成部に対して、前記読取部で読み取った前記ページ情報が示す頁以降の頁の画像データに基づく画像の再形成を指示するものであることを特徴とする請求項１記載の画像形成装置。
【請求項３】
前記制御部が、前記読取部で読み取ったジョブ情報が示すジョブに対応付けられて前記メモリに蓄積されている画像データのうち、前記読取部で読み取った前記ページ情報が示す頁の画像データのみを除外して残りの画像データに基づく画像の再形成を指示する除外モードを有するものであることを特徴とする請求項１記載の画像形成装置。
【請求項４】
前記制御部が、前記読取部で読み取った前記ページ情報が示す第１の頁と第２の頁との間にある連像した複数頁の画像データに基づく画像の再形成を指示するものであることを特徴とする請求項１記載の画像形成装置。
【請求項５】
連続した用紙に画像形成を行うものであることを特徴とする請求項１乃至請求項３のいずれか１項に記載の画像形成装置。
【発明の詳細な説明】
【技術分野】
【０００１】
本発明は、画像データを取得し、取得した画像データに基づく画像を記録媒体上に形成する画像形成装置に関する。
【背景技術】
【０００２】
従来より、外部のホストなどから送られてくる１ページ分の画像を表す画像データを基とする画像を記録媒体上に形成する、プリンタなどの画像形成装置が知られている。
【０００３】
このような画像形成装置のなかには、記録媒体への画像形成の内容を指示するジョブ単位で送信されてくる、１または複数分の画像データを装置内に蓄積するタイプのものがある。
【０００４】
このタイプの画像形成装置では、ジャム等のプリントトラブルが発生して再プリントが必要となった場合に、外部に画像データの再送信を要請する手間を省くことができる。
【０００５】
ところが、このタイプの画像形成装置では、プリントトラブルが、一部のページについて発生した場合でもそのページに係るジョブの全ページについての再プリントが行われている。しかし、これでは用紙などの記録媒体が無駄になるという問題がある。
【０００６】
そこで、プリントを行う際に、プリント画像の他に、そのプリント画像の基となる画像データに係るジョブと、そのジョブにおけるページ番号とを特定する情報画像を併せてプリントしておき、再プリントをそのジョブの全ページについてではなくページ単位で指定できる提案がなされている（特許文献１参照）。
【０００７】
上記提案の画像形成装置では、プリントトラブルの発生により再プリントが必要となった記録媒体にプリント画像と共にプリントされた情報画像をオペレータが視認し、装置に備えられた入力手段に対してその視認したジョブ情報およびページ情報を入力することによりページの指定が行われる。
【特許文献１】特開平１１−１８０００５号公報
【発明の開示】
【発明が解決しようとする課題】
【０００８】
しかし、これでは、オペレータがページ情報を誤って認識したり、あるいは入力ミスを犯したりすると記録媒体を浪費してしまう場合がある。
【０００９】
本発明は、上記事情に鑑み、画像の再形成を正確に行う工夫が図られた画像形成装置を提供することを目的とする。
【課題を解決するための手段】
【００１０】
上記目的を達成するための本発明の画像形成装置は、
記録媒体への画像形成の内容を指示するジョブ単位で、１頁分の画像を表す画像データを１又は複数頁分取得し、取得した画像データに基づく画像を記録媒体上に形成する画像形成装置において、
取得した画像データを上記ジョブに対応付けて蓄積しておくメモリと、
記録媒体に、画像データに基づく画像を形成するとともに、形成する画像がいずれのジョブの何頁目の画像であるかを特定するジョブ情報およびこの画像の形成の内容を指示するジョブを特定するジョブ情報の２つの情報を表す付加画像を形成する画像形成部と、
上記画像形成部によって形成された付加画像にかざすことで、この付加画像が表す上記ページ情報および上記ジョブ情報を読み取る読取部と、
上記画像形成部に対して、上記読取部で読み取った上記ジョブ情報が示すジョブに対応付けられて上記メモリに蓄積されている画像データのうち、この読取部で読み取った上記ページ情報が示す頁の画像データに基づく画像の再形成を指示する制御部とを備えたことを特徴とする。
【００１１】
本発明の画像形成装置では、再形成が必要な画像のジョブ情報およびページ情報の、装置側への伝達が、再形成が必要な画像と同じページに形成されている付加画像に読取部をかざすことで行うことができる。したがって、本発明の画像形成装置によれば、画像の再形成を装置側に指示する際の人為的なミスを起きにくくすることができ、画像の再形成を正確に行うことができる。
【００１２】
ここで、上記制御部が、上記画像形成部に対して、上記読取部で読み取った上記ページ情報が示す頁以降の頁の画像データに基づく画像の再形成を指示するものであってもよく、あるいは、上記制御部が、上記読取部で読み取ったジョブ情報が示すジョブに対応付けられて上記メモリに蓄積されている画像データのうち、上記読取部で読み取った上記ページ情報が示す頁の画像データのみを除外して残りの画像データに基づく画像の再形成を指示する除外モードを有するものであってもよい。また、上記制御部が、上記読取部で読み取った上記ページ情報が示す第１の頁と第２の頁との間にある連像した複数頁の画像データに基づく画像の再形成を指示するものであってもよい。
【００１３】
ここで、この画像形成装置が、連続した用紙に画像形成を行うものであってもよい。
【発明の効果】
【００１４】
本発明の画像形成装置によれば、画像の再形成を正確に行うことができる。
【発明を実施するための最良の形態】
【００１５】
以下、本発明の画像形成装置の実施形態について説明する。
【００１６】
図１は、本発明の画像形成装置の第１実施形態の概略構成図である。
【００１７】
図１に示すプリンタ１は、シート給送装置１１、画像形成部２１、定着部３１、シート搬送部４１、および、これらを制御する制御部１０で構成された、シート上に白黒画像の形成を行なうモノクロプリンタである。
【００１８】
制御部１０は、外部端末２から送信されてくるプリントデータを受信すると共に処理する。
【００１９】
画像形成部２１は、矢印Ａ方向に回転する感光体ロール２１６と、感光体ロール２１６に所定の電荷を付与する、矢印Ｂ方向に回転する帯電器２１４と、制御部１０で処理されたプリントデータに応じた静電潜像を形成する露光器２１３と、感光体ロール表面に形成された静電潜像をトナー現像する現像器２１５と、感光体ロール２１６の表面に形成されたトナー像をシート搬送経路４２を経由して搬送されてきたシートに転写する、矢印Ｄ方向に回転する転写ロール２１７とで構成されている。尚、現像器２１５は、感光体ロール表面に形成された静電潜像を現像する、トナーを保持しながら矢印Ｃ方向に回転する現像ロール２１５１を有している。
【００２０】
定着部３１は、トナー像が転写されたシートを加熱ロール３１１と加圧ロール３１２との間にニップしながら搬送することでトナー像をシートに定着させる。
【００２１】
シート搬送部４１は、搬送ロール４１１と、定着を終えたシートをプリンタ１の上面に排出するための排出ロール４１２とで構成されている。
【００２２】
シート給送装置５１は、積み重ねられたシートを収容したシートカセット５２と、シートカセット５２からシートを引き出すシート引出部５４とで構成されている。
【００２３】
また、図１には、詳しくは後述するバーコードリーダ３が示されており、このバーコードリーダで読み取られたデータは制御部に送られる。尚、このバーコードリーダ３が、本発明にいう読取部の一例に相当する。
【００２４】
図２は、図１に示す制御部の概略構成図である。
【００２５】
図２に示す制御部１０は、記録媒体への画像形成の内容を指示するジョブ単位で、外部端末２から送信されてくる、１ページ分の画像を表すプリントデータを１又は複数ページ分と該ジョブの基となるジョブデータとを受信する通信制御部１１、受信したプリントデータとジョブデータとを解析するデータ解析部１２、バーコードリーダ３によって読み取られたデータが送られるバーコードリード部１３、受信したデータのディスク１４１への蓄積を処理するファイル管理処理部１４、受信した１ページ分のプリントデータそれぞれが属するジョブデータとそのプリントデータのそのジョブにおけるページデータとからなるバーコードデータをそのプリントデータに対応付けるページ情報・バーコード処理部１５、および、プリントデータとバーコードデータとを露光ビームに展開する展開部１６を構成要素としている。
【００２６】
また、図２に示す制御部１０は、展開部１５の管理を行うデータ展開管理部１７、図１に示す露光器２１３などに対する動作を指示するプリント制御部１８、および、制御部１０の各構成要素の状態を監視する状態監視部１９を構成要素としている。尚、図２に示すプリント制御部１８には、画像形成部２１の露光器の２１３の動作を制御する露光部１８１や、画像形成部２１の現像器２１５の動作を制御する現像部１８２等、画像形成を行うための各装置を制御している。また、図２には、図１に示す露光器２１３に向けて露光部１８１から制御信号が送信され、図１に示す現像器２１５に向けて現像部１８２から制御信号が送信されている様子が代表的に示されている。
【００２７】
ここで、本実施形態のプリンタ１における画像形成の流れについて説明する。
【００２８】
このプリンタ１の不図示の電源がスイッチオンされた後、プリントデータと、そのプリントデータに係るジョブの基となるジョブデータとが外部端末２から送信されてくると、図２に示す制御部１０は、これらデータを通信制御部１１で受信した後、データ解析部１２に送信する。データ解析部１２では、送信されてきたプリントデータが、このジョブデータで表されるジョブの何番目のページデータであるのかの解析を行う。解析の結果得られたプリントデータ、ジョブデータ、およびページデータは、ファイル管理処理部１４とデータ展開管理部１７とに送信される。
【００２９】
ファイル管理処理部１４は、送信されてきたジョブデータおよびプリントデータをディスク１４１に蓄積すると共に、蓄積したジョブデータおよびプリントデータのディスク上のアドレスと、蓄積したプリントデータに係るジョブデータおよびページデータとを対応付けしたディレクトリを作成する。
【００３０】
データ展開管理部１７は、データ解析部１２からプリントデータと共に送信されてきた、該プリントデータに係るジョブデータおよびページデータに基づくバーコードをページ情報・バーコード処理部１５において作成させた上で、該プリントデータと共に展開部１６における展開を指示する。
【００３１】
展開部１６で展開されたデータは、プリント制御部１８の露光部１８１に送信される。      
【００３２】
露光部１８１は、展開された信号に応じた駆動信号を生成して露光器２１３に送信する。尚、プリント制御部１８は、現像器１３５の動作を制御する信号を現像部１８２を通じて送信している。
【００３３】
帯電器２１４によって所定の電荷が付与された感光体ロール２１６の表面には、上述のようにして露光器２１３から照射された露光光によって静電潜像が形成されて現像器２１５によるトナー現像が行われる。その後、搬送経路４２をタイミングを合わせて搬送されてきたシート上に、感光体ロール表面に形成されたトナー像が転写器２１７によって、搬送されてきたシート上に転写され、定着器３１によってシート上に定着される。その後、トナー像が定着されたシートは、排出ロール４１２によりプリンタ１の上面に排出される。
【００３４】
図３は、所定のジョブに基づいてプリントがなされた様子を示す図である。
【００３５】
図３(ａ)には、７ページのプリントを指示するジョブを実行した様子が示されており、それぞれのページには、画像‘ア’‘イ’‘ウ’‘エ’‘オ’‘カ’‘キ’がそれぞれプリントされている。
【００３６】
また、図３(ａ)には、ジョブデータおよびページデータに基づくバーコード１０１ａ、１０２ａ、１０３ａ、１０４ａ、１０５ａ、１０６ａ、１０７ａがそれぞれのページにプリントされている様子が示されている。
【００３７】
ここで、図３(ａ)に示す、７ページ分のプリントの結果、３ページ、５ページ、および７ページにおいてシワが発生したため、これらについて再プリントを行う場合について説明する。
【００３８】
この場合、このプリンタ１では、バーコードリーダ３に備えられている不図示のスイッチを押しながら、バーコードリーダ３を、再プリント行おうとするページにプリントされているバーコードにかざすだけで再プリントができるようになっている。
【００３９】
図３（ｂ）には、３ページ、５ページ、および７ページにプリントされているバーコード１０３ａ、１０５ａ、１０７ａをバーコードリーダ３で読み取った結果、３ページ、５ページ、および７ページが再プリントされた様子が示されている。
【００４０】
スイッチがオンしながらバーコードリーダ３を３ページ、５ページ、および７ページにプリントされているバーコード１０３ａ、１０５ａ、１０７ａにかざした際のプリンタ１における動作について説明する。
【００４１】
バーコードリーダ３は、内部に、バーコードを撮像するためのＣＣＤを内蔵しており、スイッチが押下されることでＣＣＤが起動するようになっており、起動したＣＣＤからはバーコード１０３ａ、１０５ａ、１０７ａを読み取ったことにより生成された撮像信号が出力される。このＣＣＤから出力された撮像信号は、バーコードリード部１３を経由してデータ展開管理部１７に送信された後、ページ情報・バーコード処理部１５で処理されて、これら３ページ、５ページ、および７ページについてのジョブデータとページデータとに解析される。
【００４２】
データ展開管理部１７は、解析したジョブデータおよびページデータをファイル管理処理部１４に送信しこれらデータと対応してディスク１４１に格納されている、記録媒体への画像形成の内容を表すジョブデータと、画像‘ウ’‘オ’‘キ’を表すプリントデータとを取得する。また、データ展開管理部１７は、解析したジョブデータおよびページデータからページ情報・バーコード処理部１５でバーコードを作成させて、対応するプリントデータと共に展開部１６において展開させて露光光を作成する。その後、前述したプロセスを経て再プリントを行う。尚、このプリンタ１において、このスイッチを押下しながらバーコードを読み取ったページ以降のページを全て再プリントするものであってもよい。
【００４３】
図４は、本実施形態のプリンタの電源がオンされた後に起動されるルーチンのフロチャートである。
【００４４】
図４に示すステップＳ１では、バーコードリーダ３からのデータの送信が有るか否かを判定する。ステップＳ１において、バーコードリーダ３からのデータの送信がないと判定すると、ステップＳ２に進み、外部からのプリントデータ等の送信があったか否かを判定する。ステップＳ３では、プリントデータなどの解析を指示し、ステップＳ４では、プリントデータなどのディスク１４１への蓄積を指示する。ステップＳ５では、ジョブデータとページデータとでのバーコードデータの作成を指示する。ステップＳ６では、プリントデータとバーコードデータとでの画像形成を指示し、ステップＳ１に戻る。
【００４５】
一方、ステップＳ１において、バーコードリーダ３からのデータ送信がないと判定すると、ステップＳ７に進み、読み取ったバーコードからジョブデータとページデータの解析を行う。その後、ステップＳ８に進み、解析ジョブデータおよび解析ページデータに対応付けられたプリントデータのディスク１４１からの読み出しを行う。ステップＳ９では、ジョブデータとページデータとでのバーコードデータの作成を指示する。ステップＳ１０では、プリントデータとバーコードデータとでの画像形成を指示する。その後、ステップＳ１に戻る。尚、ステップＳ２において、プリントデータ等の送信が無いと判定すると、ステップＳ１に戻る。
【００４６】
以上説明したように、本実施形態のプリンタ１では、再プリントが必要な画像のジョブデータおよびページデータの、プリンタ側への伝達が、再プリントが必要な画像と共に形成されているバーコードにバーコードリーダ３をかざすことで行うことができる。したがって、このプリンタ１によれば、画像の再プリントをプリンタ側に指示する際の人為的なミスを起きにくくすることができ、画像の再プリントを正確に行うことができる。
【００４７】
次に、本発明の画像形成装置の第２実施形態について説明する。
【００４８】
本実施形態と第１実施形態の相違点は、第１実施形態ではバーコードリーダ３によってバーコードが読み取られたページを再プリントしているのに対して、本実施形態では、バーコードリーダ３によってバーコードが読み取られたページを除く、同じジョブに属する他のページを再プリントする点だけであるので、以下ではこの点について説明する。
【００４９】
図５は、所定のジョブに基づいてプリントがなされた様子を示す図である。
【００５０】
図５（ａ）には、７ページのプリントを指示するジョブを実行した様子が示されており、それぞれのページには、画像‘サ’‘シ’‘ス’‘セ’‘ソ’‘タ’‘チ’がそれぞれプリントされている。
【００５１】
また、図５(ａ)には、ジョブデータおよびページデータに基づくバーコード２０１ａ、２０２ａ、２０３ａ、２０４ａ、２０５ａ、２０６ａ、２０７ａがプリントされている様子も示されている。
【００５２】
ここで、図５（ａ）に示す、７ページ分のプリントの結果、１ページ、２ページ、４ページおよび６ページにおいてシワが発生したため、これらについて再プリントを行う場合について説明する。
【００５３】
このプリンタでは、バーコードリーダ３に備えられている不図示のスイッチを押している間にバーコードリーダ３で読み込まれたバーコードのページを除き、同じジョブに所属する他のページの再プリントができるようになっている。
【００５４】
図５（ｂ）には、３ページ、５ページ、および７ページにプリントされているバーコード２０３ａ、２０５ａ、２０７ａを読み取った結果、３ページ、５ページ、および７ページを除く１ページ、２ページ、４ページ、および６ページが再プリントされた様子が示されている。
【００５５】
不図示のスイッチがオンされたバーコードリーダ３を３ページ、５ページ、および７ページにプリントされているバーコード２０３ａ、２０５ａ、２０７ａにかざした際の、このプリンタにおける動作について説明する。
【００５６】
バーコードリーダ３のスイッチを押下しながら、バーコードリーダ３を、再プリントを避けたい３ページ、５ページ、および７ページにプリントされているバーコード２０３ａ、２０５ａ、２０７ａにかざすと、ＣＣＤから出力された撮像信号は、バーコードリード部１３を経由してデータ展開管理部１７に送信された後、ページ情報・バーコード処理部１５で処理されてジョブデータとページデータとに解析される。これら解析されたデータは、不図示のメモリに保持される。バーコードリーダ３のスイッチの押下が解除されると、データ展開管理部１７は、ファイル管理処理部１４に、解析保持しているページデータと共に解析されたジョブデータと同じジョブデータを有する、解析保持しているページデータ以外のページデータに対応づけられているプリントデータをファイル管理処理部１４に読み出させる。これにより、ディスク１４１に格納されているプリントデータのうち、バーコードリーダ３でバーコードを読み取ったページ以外のページの再プリントを行うことができる。尚、これ以降の説明は、第１実施形態のプリント１においてした説明と同じとなるので省略する。
【００５７】
図６は、本実施形態のプリンタの電源投入時に起動されるルーチンのフロチャートである。
【００５８】
図６に示すステップＳ１１では、バーコードリーダの不図示のボタンがオンされたか否かを判定する。ステップＳ１１において、ボタンがオンされていないと判定すると、ステップＳ１２に進むが、ステップＳ１２からステップＳ１６までの説明は、図４に示すステップＳ２からステップＳ６までの説明と同じとなるので省略する。
【００５９】
一方、ステップＳ１１において、ボタンがオンされていると判定すると、ステップＳ１７に進み、ジョブデータとページデータの解析および保持を行う。ステップＳ１８では、バーコードリーダ３の不図示のボタンの押下が解除されたか否かを判定する。ステップＳ１８において、解除されたと判定すると、ステップＳ１９に進み、解析したジョブデータと同じジョブデータを有する、解析ページデータ以外のページデータに対応づけられたプリントデータのディスク１４１からの読み出しを行う。ステップＳ２０では、ジョブデータとページデータとでバーコードデータの作成を指示する。
【００６０】
ステップＳ２１では、プリントデータとバーコードデータとで画像形成を指示する。その後、ステップＳ１に戻る。尚、ステップＳ１８において、ボタンのオン解除がなされていないと判定するとステップＳ１７に戻る。
【００６１】
以上説明したように、このプリンタによっても、画像の再プリントをプリンタ側に指示する際の人為的なミスを起きにくくすることができ、画像の再プリントを正確に行うことができる。
【００６２】
次に、本発明の画像形成装置の第３実施形態について説明する。
【００６３】
本実施形態と第１、第２実施形態の相違点は、個別に指定したページについて再プリントを行うのではなく、再プリントを行う先頭ページと最終ページとを指定して、連続する複数ページの再プリントを効率よく行う点だけであるので、以下ではこの点について説明する。ファイル管理処理部１４は、送信されてきたジョブデータおよびプリントデータをディスク１４１に蓄積すると共に、蓄積したジョブデータおよびプリントデータのディスク上のアドレスと、蓄積したプリントデータに係るジョブデータおよびページデータとを対応付けしたディレクトリを受付順に作成する。バーコードリーダの不図示の開始ページボタンがオンされると再プリントを開始する開始ジョブデータと開始ページデータとに解析され、不図示の終了ページボタンがオンされると再プリントを開始する終了ジョブデータと終了ページデータとに解析される。これら解析されたデータは、不図示のメモリに保持される。終了ページボタンがオンされると、データ展開管理部１７は、ファイル管理処理部１４に、解析保持している開始ページデータと共に解析された開始ジョブデータと同じ開始ジョブデータを有する、解析保持しているページデータ以外の開始ページデータに対応づけられているプリントデータから終了ジョブデータの終了ページデータまで各ページのプリントデータをデータファイル管理処理部１４に読み出させる。このようにすれば、連続したページの再プリントを容易に指定することが出来る。
【００６４】
また、以上の実施形態においてはカット紙に画像形成を行うプリンタを用いて説明をしたが、連続紙に画像形成を行うプリンタにおいても同様に構成することができる。
【図面の簡単な説明】
【００６５】
【図１】本発明の画像形成装置の第１実施形態の概略構成図である。
【図２】図１に示す制御部の概略構成図である。
【図３】所定のジョブに基づいてプリントがなされた様子を示す図である。
【図４】第１実施形態のプリンタの電源がオンされた後に起動されるルーチンのフロチャートである。
【図５】所定のジョブに基づいてプリントがなされた様子を示す図である。
【図６】第２実施形態のプリンタの電源投入時に起動されるルーチンのフロチャートである。
【符号の説明】
【００６６】
１  プリンタ
２  外部端末
３  バーコードリーダ
１０  制御部
１１  通信制御部
１２  データ解析部
１３  バーコードリード部
１４  ファイル管理処理部
１４１  ディスク
１５  ページ情報・バーコード処理部
１６  展開部
１７  データ展開管理部
１８  プリント制御部
１８１  露光部
１８２  現像部
１９  状態監視部
【図１】
2006256015.tif 000003
【図２】
2006256015.tif 000004
【図３】
2006256015.tif 000005
【図４】
2006256015.tif 000006
【図５】
2006256015.tif 000007
【図６】
2006256015.tif 000008